(57)【特許請求の範囲】
【請求項１】
所定の封緘物を封入する一体の封緘基材を折曲し、所定の周縁部分が接着されて形成される封緘体であって、
前記封緘物を封緘するための内部空間を形成する第１および第２の基材部と、
前記第１および第２の基材部を封緘する封緘基部と、
前記封緘基部と一体で、一辺が開放状態で袋状に形成され、かつ所定種の伝票が分離自在に形成される収納基部と、
を有することを特徴とする封緘体。
【請求項２】
請求項１記載の封緘体であって、前記封緘物に所定の識別符号が付され、前記第１および第２の基材部並びに収納基部の少なくとも何れかの所定部分に当該封緘物に付された識別符号と一致をとるための識別符号が付されることを特徴とする封緘体。
【請求項３】
請求項１または２記載の封緘体であって、前記収納基部の前記伝票が位置される部分に窓部が形成されて当該窓部に接着フィルムが設けられ、当該収納基部に形成される前記伝票が上記窓部の接着フィルムに対して剥離自在に設けられることを特徴とする封緘体。
【請求項４】
請求項１〜３の少なくとも何れかに記載の封緘体が、前記一体の封緘基材の状態で連接されることを特徴とする封緘体用シート。
【発明の詳細な説明】
【０００１】
【発明の属する技術分野】
本発明は、封緘基材を折り曲げ、接着することで作製される封緘体および封緘体用シートに関する。
【０００２】
【従来の技術】
近年、特に重要な内容物を特定人に配送する場合、郵便による場合や宅配による場合に関わらず確かに届けたことを証明するための受領証の受け取りが必要となる場合が多い。そのため、内容物を収めた封筒等の封緘体に受領証を含めた配達票を添付する必要があり、配達者における当該配達票の取り扱いを容易とさせることが望まれている。
【０００３】
従来、封筒等の配達は郵便による場合の他に運送業者による宅配も盛んになっており、宅配による場合はもちろん、郵便による場合でも受領証を必要とするものをも扱っている。この場合、郵便においては配達記録郵便物受領証を作成し、また運送業者においては受領票を組み込んだ配送伝票を作成して封筒や荷物等の封緘体に貼付している。特に、運送業者では配送に当たって配送物が封書だけではないことから、配送伝票を荷物より分離させて当該配送伝票に基づいて各該当住所に配達を行うことが一般的である。
【０００４】
【発明が解決しようとする課題】
ところで、荷物や封筒を配達するに当たり、配達先が不在の時には配送物を持ち帰って保管しなければならない。特に、運送業者による配達では予め配送伝票を分離させていることから、持ち帰りや保管時に配送伝票が紛失してしまうという場合がある。そのため、持ち帰りや保管に当たって配送伝票を一緒にするための確実な事務的処理を確立しなければならず、精神的にも負担となり事務処理の効率が悪くなるという問題がある。
【０００５】
そこで、本発明は上記課題に鑑みなされたもので、配送伝票等の伝票を配送物より分離した場合でも伝票の取り扱いを容易として事務処理の効率を向上させる封緘体および封緘体用シートを提供することを目的とする。
【０００６】
【課題を解決するための手段】
上記課題を解決するために請求項１の発明では、所定の封緘物を封入する一体の封緘基材を折曲し、所定の周縁部分が接着されて形成される封緘体であって、前記封緘物を封緘するための内部空間を形成する第１および第２の基材部と、前記第１および第２の基材部を封緘する封緘基部と、前記封緘基部と一体で、一辺が開放状態で袋状に形成され、かつ所定種の伝票が分離自在に形成される収納基部と、を有する構成とする。
【０００７】
請求項２および３の発明では、「前記封緘物に所定の識別符号が付され、前記第１および第２の基材部並びに収納基部の少なくとも何れかの所定部分に当該封緘物に付された識別符号と一致をとるための識別符号が付される」構成であり、「前記収納基部の前記伝票が位置される部分に窓部が形成されて当該窓部に接着フィルムが設けられ、当該収納基部に形成される前記伝票が上記窓部の接着フィルムに対して剥離自在に設けられる」構成である。
【０００８】
請求項４の発明では、請求項１〜３の少なくとも何れかに記載の封緘体が、前記一体の封緘基材の状態で連接される構成の封緘体用シートとする。
【０００９】
このように、封緘基材を第１および第２の基材部、封緘基部、収納基部で構成し、封緘基部と一体の収納基部に対して伝票を分離自在に形成されるもので、当該封緘基材が折曲され、所定の周縁部分が接着されて形成されると共に、一辺を開放状態の袋状の収納基部が形成された封緘体を構成する。すなわち、配送伝票等の伝票を配送物より分離した状態で持ち帰りや保管をする場合に、分離した配達票を収納基部に入れておくことで、紛失を防止することが可能であり、当該封緘体、伝票の取り扱いを容易として事務処理の効率を向上させることが可能となるものである。
【００１０】
【発明の実施の形態】
以下、本発明の好ましい実施形態を図により説明する。本実施形態では、封緘基材を紙部材によるものとした場合を示すが、接着フィルム部材によるものとしても同様である。
【００１１】
図１に、本発明の封緘体の構成図を示す。図１（Ａ）は、封緘基材１１の裏面部分（封緘体としたときに内側となる面）を示したもので、第１の基部である第１の紙葉１２、第２の基部である第２の紙葉１３、封緘基部が一体となった収納基部である収納紙葉１４がそれぞれが折り線１５Ａ，１５Ｂにより折曲自在で構成される。これら第１および第２の紙葉１２，１３並びに収納紙葉１４の一辺方向に切取線となるミシン目１６が形成される。この封緘基材１１は封緘時に所定の情報が印刷、印字された封緘物１７を封入した後た折曲、接着されるものである。
【００１２】
上記第１および第２の紙葉１２，１３は、封緘物１７を封緘するための内部空間を形成するもので、第１の紙葉１２の周縁部分に接着剤１８Ａ，１８Ｂが塗布される。この場合、接着剤１８Ａは、上記ミシン目１６より周縁部分に形成される。同様に、第２の紙葉１３の周縁部分に接着剤１９Ａ，１９Ｂが塗布されるもので、この場合も接着剤１９Ａは上記ミシン目１６より周縁部分に形成される。
【００１３】
上記収納紙葉１４は、第１および第２の紙葉１２，１３を封緘する封緘基部（後述の接着剤２２Ｂが塗布される部分）が一体となったもので、一辺（図上の下方）が開放状態で袋状に形成され、かつ伝票として例えば配達証明となる配達票２０が切取線となるミシン目２１により分離自在に形成される。また、図上の上辺、両側辺部分および下辺両側部分に接着剤２２Ａ〜２２Ｅが塗布されるもので、接着剤２２Ａは上記同様にミシン目１６より周縁部分に形成される。そして、少なくとも、収納紙葉１４の表面部分（封緘体としたときに外側となる面）の配達票２０部分に配達証明とする内容の情報（受領印を押す領域を含む）が印刷、印字され、適宜、配達先の住所、氏名等が印字される（図１（Ｃ）で説明する）。
【００１４】
図１（Ｂ）において、図１（Ａ）の例えば第２の紙葉１３上に封緘物１７が位置され、第１の紙葉１２が折り線１５Ａで第２の紙葉１３側に折り曲げられる。この際、接着剤１８Ａと接着剤１９Ａとが接着されると共に、接着剤１８Ｂと接着剤１９Ｂとが接着されるもので、これにより上記封緘物１７が位置されるところに内部空間が形成される。
【００１５】
そして、図１（Ｃ）に示すように、収納紙葉１４が折り線１５Ｂで第１および第２の紙葉１２，１３側に折り曲げられることで接着剤２２Ａ〜２２Ｅにより接着されて第１および第２の紙葉１２，１３で形成される内部空間が封緘されて封緘体２３が形成されるものである。この場合、封緘体２３は、上述のように収納紙葉１４が接着剤２２Ａ〜２２Ｃで接着されることで、図上下方の一辺が開放状態の袋状態となると共に、当該収納紙葉１４の表側に印刷、印字された情報が表出する。
【００１６】
すなわち、印字された配達先毎の個別データ（宛名となる住所、氏名、適宜郵便番号）と、ミシン目２１で分離自在な配達票２０が表出される。なお、配達票２０は、「配達票」や「受領印」の文字と枠線が印刷により形成され、配達先毎の個別データ（住所、氏名、電話番号）等が印字されたものである。
【００１７】
このような封緘体２３は、例えば運送業者により配達されるときには配達票２０がミシン目２１で切り取られて分離され（図２（Ａ）参照）、受取人に当該配達票２０の受領印欄に受領印を押してもらい、これを持ち帰るものである。また、受取人本人は、ミシン目１６より封を切り、内容物である封緘物２３を取り出すことができるものである。
【００１８】
ここで、図２に、本発明の封緘体の一使用状態を示す説明図を示す。図２（Ａ）は、例えば運送業者が配達する際に、配達票２０を切り取って分離した状態を示したもので、この配達票２０に印字されている住所、氏名に基づいて配達先に運送する。そして、配達先の受取人が不在の時には、当該封緘体２３を持ち帰る。その際、図２（Ｂ）に示すように、封緘体２３は収納紙葉１４により一辺が開放された袋状となっていることから、切り取った配達票２０を当該収納紙葉１４による袋に入れて持ち帰り、その状態で保管するものである。
【００１９】
このように、分離された配達票２０が封緘体２３と一緒の状態とすることで、当該封緘体２３の持ち帰りや保管において、紛失することがなく、当該封緘体、配達票の取り扱いを容易として事務処理の効率を向上させることができるものである。
【００２０】
そこで、図３および図４に、本発明の封緘体における作製状態の説明図を示す。図３（Ａ）は、封緘物１７として例えば３枚の用紙１７Ａ〜１７Ｃで構成される。例えば１頁目の用紙１７Ａには個別データとして配達先の受取人の氏名が印字され、当該受取人に対する情報が印刷または印字される。用紙１７Ｂ，１７Ｃにおいても続きの情報が印刷または印字される。
【００２１】
そして、各用紙１７Ａ〜１７Ｃの所定部分（ここでは左上）に当該受取人である顧客の識別符号３１Ａがそれぞれ印字される。この識別符号３１Ａは、例えばバーコードやシリアル番号等であり、後述のカメラにより読み取り可能な符号である。これら用紙１７Ａ〜１７Ｃは、連続状態でそれぞれ頁毎の封緘物用シート（図４で説明する）とされる。
【００２２】
図３（Ｂ）は、上記封緘基材１１が連続した封緘体用シート（図４の封緘体用シート５１）を示したもので、その表面部分（封緘体としたときに外側となる面）を示したものである。すなわち、収納紙葉１４には、予め受取人の住所、氏名（適宜、郵便番号）が印字され、配達票２０となる部分に予め受取人の住所、氏名、電話番号（適宜、郵便番号）が印字され、「配達票」や「受領印」の文字および受領印領域が予め印刷された状態である。また、ミシン目１６，２１が予め形成される。そして、例えば第１の紙葉１２の右上部分に上記識別符号３１Ａと一致をとるための識別符号（上述のバーコード、シリアル番号等）３１Ｂが予め印字される。
【００２３】
そこで、図４は封入封緘装置３７の概念図を示したもので、当該封入封緘装置３７が、大別して封緘物供給部３８、封入封緘部３９および制御部４０により構成される。図４において、封緘物供給部３８は、ロール状の上記封緘物用シート４１Ａ（１頁目用）、カッタ４２Ａ、識別符号認識用のカメラ４３Ａが配置された搬送部４４Ａが設置される。同様の構成でロール状の封緘物用シート４１Ｂ（２頁目用）、ロール状の封緘物用シート４１Ｃ（３頁目用）に対応するカッタ４２Ｂ，４２Ｃ、識別符号認識用のカメラ４３Ｂ，４３Ｃが配置された搬送部４４Ｂ，４４Ｃがそれぞれ併設され、それぞれ搬送部４５にそれぞれの封緘物１７Ａ〜１７Ｃを供給する。
【００２４】
一方、封入封緘部３９は、上記搬送部４５の搬送方向に、上記封緘基材１１を連続させてロール状とした封緘体用シート５１より、連続的な上記封緘基材１１が所定数の搬送ロールを介して上記封緘物１７の供給位置に搬送されるもので、当該供給位置の前段で当該封緘基材１１の裏面部分（封緘体としたときに内側となる面）の図１に示した接着剤１８〜１９，２２を塗布する接着剤塗布部５２と、表面部分（封緘体としたときに外側となる面）の第１の紙葉１２に印字された識別符号３１Ｂを読み取るカメラ５３が配置される。
【００２５】
また、封緘物１７の供給位置より折曲部５４，５５、カッタ５６および搬送部５７が配置され、搬送部５７の排出位置にスタッカ５８が配置される。なお、上記制御部４０は、装置全体の駆動を制御すると共に、上記カメラ４３Ａ〜４３Ｃ，５３で読み取った識別符号，３１Ａ，３１Ｂを識別し、照合を行う。
【００２６】
そこで、上記封入封緘装置３７による封緘体２３の作製行程を説明するが、ここでは、封緘物用シート４１Ａ〜４１Ｃには予め上述の情報が印刷、印字されていると共に、封緘体用シート５１にも予め上述の情報が印刷、印字されている場合として説明する。
【００２７】
まず、封緘物１７の３頁目（１７Ｃ）がロール状に連続した封緘物用シート４１Ｃよりカッタ４２Ｃに供給されて各枚葉毎に切断され、搬送部４４Ｃよりカメラ４３Ｃの下方を搬送されて搬送部４５に送られる。このとき、カメラ４３Ｃの下方で識別符号３１Ａが読み取られて制御部４０でその内容が識別される。同様に、封緘物１７の２頁目（１７Ｂ）がロール状に連続した封緘物用シート４１Ｂよりカッタ４２Ｂに供給されて各枚葉毎に切断され、搬送部４４Ｂよりカメラ４３Ｂの下方を搬送されて搬送部４５上の封緘物１７Ｃ上に重ねられるように送られる。このとき、カメラ４３Ｂの下方で識別符号３１Ａが読み取られて制御部４０でその内容が識別され、上記カメラ４３Ｃで読み取って識別された識別符号と照合されてマッチングがとられる。
【００２８】
そして、同様に、封緘物１７の１頁目（１７Ａ）がロール状に連続した封緘物用シート４１Ａよりカッタ４２Ａに供給されて各枚葉毎に切断され、搬送部４４Ａよりカメラ４３Ａの下方を搬送されて搬送部４５上の封緘物１７Ｂ，１７Ｃ上に重ねられるように送られる。このとき、カメラ４３Ａの下方で識別符号３１Ａが読み取られて制御部４０でその内容が識別され、上記カメラ４３Ｂ（４３Ｃ）で読み取って識別された識別符号と照合されてマッチングがとられ、３枚が重ねられた状態で封入封緘部３９の供給位置に送られる。
【００２９】
一方、封入封緘部３９では、該当の封緘基材１１に接着剤１８〜１９，２２が塗布され、封緘物１７が供給載置されるときに、カメラ５３で読み取って識別された識別符号３１Ｂと、カメラ４３Ａ（４３Ｂ，４３Ｃ）で読み取って識別した識別符号３１Ａとが照合されてマッチングがとられる。識別符号が照合されて封緘物１７が載置された状態で、折曲部５４において第１の紙葉１２と収納紙葉１４とを第２の紙葉１３側に中間的に折り曲げる第１段階の折曲が行われ、折曲部５５で互いの対向する接着剤同士を接着させて折り曲げる第２段階の折曲が行われて、カッタ５６で単体に切断される。これにより、封緘物１７が封入、封緘された封緘体２３が形成され、搬送部５７によりスタッカ５８にストックされるものである。
【００３０】
このように、本発明の封緘体２３が作製されるものであるが、封緘物１７および封緘基材１１に付された識別符号３１Ａ，３１Ｂにより、個別対応の封緘体２３に対応した封緘物１７を間違いなく封入させることができ、ひいては封緘体２３と配達票２０が一体としていることから、当該配達票２０と内容物である封緘物１７とのマッチングを容易にとることができるものである。また、同様に封緘体２３と配達票２０が一体となっていることから、別行程で配達票（配送伝票）を作製、貼付する必要がなく、効率的であると共に、製造コストを低減させることができるものである。
【００３１】
なお、上記封入封緘装置３７において、封緘物用シート４１および封緘体シート５１とに予め所定情報の印字を行った場合を示したが、上記封入封緘装置３７における各封緘物用シート４１および封緘体シート５１を供給する段階で印字を行う構成としても同様である。
【００３２】
次に、図５に、本発明の封緘体における他の実施形態の構成図を示す。図５（Ａ）は、図１（Ａ）に対応するもので、収納紙葉１４の配達票２０を位置させる部分に窓部６１が形成され、裏面部分（封緘体となったときに内側となる面）より当該窓部６１に一回り大きな接着フィルム６２が設けられる。そして、収納紙葉１４の表面部分（封緘体となったときに外側となる面）より配達票２０Ａが当該接着フィルムに対して剥離自在に接着されて設けられたものである。
【００３３】
上記接着フィルム６２と配達票２０Ａとの接着は、例えば従来より知られている剥離可能に擬似接着した２層の透視可能フィルムのうち、一方透視可能フィルム面を配達票２０Ａの裏面に接着させ、配達票２０Ａの表面側から擬似接着層に達する切り込み６３を入れることで当該収納紙葉１４に配達票２０Ａを剥離可能に接着させることができるものである。
【００３４】
そこで、図５（Ｂ）において、図５（Ａ）の第２の紙葉１３上に封緘物１７が位置され、第１の紙葉１２を折り線１５Ａで第２の紙葉１３側に折り曲げ、収納紙葉１４を折り線１５Ｂで第１および第２の紙葉１２，１３側に折り曲げられることで収納紙葉１４を一辺開放の袋状態とした封緘体２３が形成されるものである。
【００３５】
そして、図５（Ｃ）において、配達票２０Ａを収納紙葉１４の接着フィルム６２より剥離して分離させることができるものである。この場合、配達票２０Ａを分離した窓部６１には透明な接着フィルム６２が残存することとなることから、第１の紙葉１２に当該窓部６１より表出する所定の情報を印刷、印字しておいてもよく、これにより未開封でも所定情報を表示させることができるものである。
【００３６】
このように図５（Ｃ）に示す封緘体２３とすることによっても、上記同様に分離された配達票２０Ａを封緘体２３と一緒の状態とすることで、当該封緘体２３の持ち帰りや保管において、紛失することがなく、当該封緘体、配達票の取り扱いを容易として事務処理の効率を向上させることができるものである。なお、収納紙葉１４の開放側より窓部６１の奥側辺近傍を接着剤で接着させることにより、収納した配達票２０Ａを取り出し易くすることができるものである。
【００３７】
【発明の効果】
以上のように、請求項１および４の発明によれば、封緘基材を第１および第２の基材部、封緘基部、収納基部で構成し、封緘基部と一体の収納基部に対して伝票を分離自在に形成させるもので、当該封緘基材が折曲され、所定の周縁部分が接着されて形成されると共に、一辺を開放状態の袋状の収納基部が形成された封緘体を構成させることにより、配送伝票等の伝票を配送物より分離した状態で持ち帰りや保管をする場合でも紛失することがなく、当該封緘体、伝票の取り扱いを容易として事務処理の効率を向上させることができるものである。
【００３８】
請求項２の発明によれば、封緘物に識別符号を付し、第１および第２の基材部並びに収納基部の所定部分に上記識別符号と一致をとるための識別符号を伏すことにより、封緘物を該当の封緘体に封入封緘するに際して対応させることができ、誤入を防止することができるものである。
【００３９】
請求項３の発明によれば収納基部の伝票が位置される部分に窓部を形成して当該窓部に、伝票を剥離自在に接着する接着フィルムを設けることにより、当該窓部に対応する第１または第２の基材部の部分に所定情報を印字等しておくことで伝票を剥離した後に当該窓部より情報を未開封状態で表示させることができるものである。
【図面の簡単な説明】
【図１】本発明の封緘体の構成図である。
【図２】本発明の封緘体の一使用状態を示す説明図である。
【図３】本発明の封緘体における作製状態の説明図（１）である。
【図４】本発明の封緘体における作製状態の説明図（２）である。
【図５】本発明の封緘体における他の実施形態の構成図である。
【符号の説明】
１１                  封緘基材
１２                  第１の紙葉
１３                  第２の紙葉
１４                  収納紙葉
１６，２１            ミシン目
１７                  封緘物
２０，２０Ａ          配達票
２３                  封緘体
３１                  識別符号
３７                  封入封緘装置
６１                  窓部
６２                  接着フィルム
【図１】
0004416340.tif 000002
【図２】
0004416340.tif 000003
【図３】
0004416340.tif 000004
【図４】
0004416340.tif 000005
【図５】
0004416340.tif 000006